(57)【要約】【課題】発音体をスプ−ルの形成素材とは異なる音響特性の優れた素材で形成してクリック音の響きの良い魚釣用リ−ルを提供することである。【解決手段】スプ−ル軸１の先端にスプ−ル２が取り付けられている。スプ−ル軸１の小径部１ｂ外周には円盤状のスプ−ル支持部３が嵌合され、支持部３に発音部材６の支持体７が嵌合されている。スプ−ル２の釣糸が巻回される外周の釣糸巻回胴部２ｂの内側に位置する凹部２ｃの底面にはネジ穴２ｋが形成されて発音体４がビス１１で固定され、凹部２ｃの周面は環状周壁２ｍに構成されている。発音体４は発音効果の高いスプ−ル２の材料より硬質金属材で、凹部２ｃの底面に固定される固定部４ａと環状の発音部４ｂでカップ状に形成され、発音部４ｂの内周面のクリック凹凸歯に発音部材６の係合突出部６ａが係合される。【選択図】　　　　図１
2004105097.tif 000002
【特許請求の範囲】
【請求項１】
リ−ル本体に回転可能に支持されたスプ−ルと、スプ−ルを支持する支持部との間に設けられ、前記スプ−ルに設けられた発音体と、スプ−ルを支持する支持部に支持された発音部材とで、スプ−ルと支持部との相対回転を報知するクリック機構を備えた魚釣用リ−ルにおいて、前記発音体は前記スプ−ルの凹部内に別体で一体的に取り付け固定する固定部と、前記発音部材と当接して発音する環状の発音部とで形成されると共に、前記発音部の外周の径方向外側とスプ−ル凹部の環状周壁との間に間隙を形成したことを特徴とする魚釣用リ−ル。
【請求項２】
少なくとも前記発音体は、前記スプ−ルにおける釣糸巻回胴部の内側に位置する凹部内に取り付け固定されていることを特徴とする請求項１記載の魚釣用リ−ル。
【請求項３】
前記スプ−ルはドラグ機構を介して前記支持部に支持されていることを特徴とする請求項１又は２記載の魚釣用リ−ル。
【請求項４】
前記発音体は前記スプ−ルより硬質な材料で形成されていることを特徴とする請求項１〜３記載の魚釣用リ−ル。
【発明の詳細な説明】
【０００１】
【発明の属する技術分野】
本発明は、スプ−ルの釣糸巻回胴部の内側に位置する凹部内に設けたクリック機構の発音体を改良した魚釣用リ−ルに関する。
【０００２】
【従来の技術】
従来、魚釣用リ−ルはハンドルの巻取り駆動で回転する駆動機構でリ−ル本体に支持されたスプ−ルに釣糸を巻回保持する構成である。
前記魚釣用リ−ルにおける、リ−ル本体に支持された回転体と支持部との間に、回転体と支持部との相対回転を報知するクリック機構を備えたものは一般的に広く知られている。
前記のクリック機構は、回転体とその支持部の何れか一方に発音部材を、他方に発音体を夫々備えており、両者の相対回転で回転差が生じた場合に発音する構成であり、前記発音体は回転体又は固定部に一体的に形成されているのが一般的である。
【０００３】
フロントドラグタイプのスピニングリ−ルにおいては、リ−ル本体に支持された回転体であるスプ−ルは、通常ドラグ機構を介して釣糸繰り出し方向に制動回転可能に支持されている。
実釣り時において魚が掛かると、釣糸の張力を越える負荷が加わった際に仕掛の糸切れを防ぐべくドラグの作動でスプ−ルを釣糸繰り出し方向に制動回転させる。
この、ドラグ作動による釣糸の引出しを釣り人に報知するべく、前記リ−ルにはドラグ作動検知用クリック機構が備えられているのが一般的である。
前記のクリック機構は、スプ−ル軸に支持された発音部材（ピンやクリック爪等）をスプ−ルに形成された発音体（複数の凹部を環状配置した円盤、爪車等）と弾発接触させることで発音するべく形成されている。
【０００４】
しかし、前記の如く構成されたクリック機構は、発音体がスプ−ルに一体形成されているので、材料の選択がスプ−ルを形成する素材と同一にしなくてはならず、通常アルミや樹脂等で形成されたスプ−ルに発音体を形成すると、
▲１▼アルミの場合は長期の使用でアルマイト層が剥離し、素材がむき出しになり、摩耗が早まって充分な発音が困難になる、あるいは耐食性が低下して腐食が発生する等の不具合を生じる。
▲２▼樹脂の場合は、音質がこもった音となりクリック音が聞き取り難くなる、或は摩耗が早い為耐久性に劣る上に、発音が弱まり、更に音を識別し難くなる。
と言った不具合が指摘されており改造が望まれていた。
【０００５】
【特許文献１】
特開２０００−１３９２８６号公報
前記の不具合を解消するべく、前記特許文献１の公報にはスプ−ルのドラグ収容部内にスプ−ル本体と別体の発音体を組み込んだ構成が示されている。
しかし、前記特許文献１の公報の構成は、スプ−ル内壁に形成された嵌合溝に、発音部材が装着された防水部材の突起部を嵌合させて回り止めする構成であるので、発音部材の外周が防水部材に囲まれかつ外周面が防水部材に密着しているため、音の響きが悪く、クリック音がこもり、音を識別し難い不具合があり、改善が望まれている。
【０００６】
【発明が解決しようとする課題】
解決しようとする問題点は、発音体が回転体（スプ−ル）又は固定部に一体的に形成されていると、材料の選択がスプ−ルを形成する素材と同一にしなくてはならず、通常アルミや樹脂等で形成されたスプ−ルに発音体を形成すると、
▲１▼アルミの場合は長期の使用でアルマイト層が剥離し、素材がむき出しになり、摩耗が早まって充分な発音が困難になる、あるいは耐食性が低下して腐食が発生する等の不具合を生じる。
▲２▼樹脂の場合は、音質がこもった音となりクリック音が聞き取り難くなる、或は摩耗が早い為耐久性に劣る上に、発音が弱まり、更に音を識別し難くなる。
ことである。
【０００７】
本発明の目的は前記欠点に鑑み、発音体をスプ−ルの形成素材とは異なる音響特性の優れた素材で形成してクリック音の響きの良い魚釣用リ−ルを提供することである。
【０００８】
【課題を解決するための手段】
上記課題を解決するために、
請求項１に係わる本発明は、リ−ル本体に回転可能に支持されたスプ−ルと、スプ−ルを支持する支持部との間に設けられ、前記スプ−ルに設けられた発音体と、スプ−ルを支持する支持部に支持された発音部材とで、スプ−ルと支持部との相対回転を報知するクリック機構を備えた魚釣用リ−ルにおいて、前記発音体は前記スプ−ルの凹部内に別体で一体的に取り付け固定する固定部と、前記発音部材と当接して発音する環状の発音部とで形成されると共に、前記発音部の外周の径方向外側とスプ−ル凹部の環状周壁との間に間隙を形成したことを要旨とするものである。
【０００９】
請求項２に係わる本発明は、少なくとも前記発音体は、前記スプ−ルにおける釣糸巻回胴部の内側に位置する凹部内に取り付け固定されていることを要旨とするものである。
請求項３に係わる本発明は、前記スプ−ルはドラグ機構を介して前記支持部に支持されていることを要旨とするものである。
請求項４に係わる本発明は、前記発音体は前記スプ−ルより硬質な材料で形成されていることを要旨とするものである。
【００１０】
【発明の実施の形態】
請求項１の本発明により、スプ−ル２の凹部２ｃ内に発音体４を別体で一体的に固定するので、クリック発音体４をスプ−ル２と別の素材で形成出来、音響特性の良い素材又は耐摩耗性の高い素材といった、クリック発音体４として最適な素材を適宜選択できると共に、発音体４の環状発音部４ｂ外周とスプ−ル２の凹部２ｃの周面の環状周壁２ｍの間に間隙を設けたので、音が間隙の部分で増幅、或いは反響するので、クリック音の響きが良くなり、大きな音を発することが出来る。
【００１１】
請求項２の本発明により、本来デットスペ−スとなる釣糸巻回胴部２ｂ内に発音体を設ける際に、別体の発音体４、特に環状の発音部４ｂを釣糸巻回胴部２ｂ内に配置することで、スプ−ル成形時に金型をシンプルな形状とすることが出来、金型製作時のコスト削減が出来ると共に、発音体４の凹凸を精度よく成形できるのでクリック音が一定の連続音となり、不快な不連続音が解消される。
請求項３の本発明により、スプ−ル２の凹部２ｃが有効活用できると共に、音響効果が得られる。
請求項４の本発明により、別体の発音体４をスプ−ル２より硬質な材料で形成することで、クリック音の発音を大きくするべく、発音部材の弾発力を高めても、発音体４の環状の発音部４ｂが変形して逃げることが無くなり、確実に大きなクリック音を発することが出来ると共に、環状発音部４ｂの耐久性が向上し、凹凸部分の摩耗を確実に押えることが可能となる。
【００１２】
【実施例】
以下、図示の実施例によって本発明を説明すると、図１から図７は第１実施例で魚釣用リ−ルを魚釣用スピニングリ−ルで述べると、図１はスプ−ルの断面側面図、図２はスプ−ルの分解断面側面図、図３はスプ−ルの要部拡大分解断面側面図、図４は発音体を断面にして支持体に保持された発音部材を組み合わせた斜視図、図５は発音体と支持体に保持された発音部材の分解斜視図、図６は発音部材と支持体の分解斜視図、図７は発音部材と支持体の断面平面図である。
【００１３】
魚釣用スピニングリ−ルは、図示しないリ−ル本体に回動不能に支持されて前側に突出されたスプ−ル軸１の先端にスプ−ル２が取り付けられている。
スプ−ル軸１は太径部１ａの先端側に段部で太径部１ａより小径の小径部１ｂが形成され、先端にネジ部１ｃが形成されている。
小径部１ｂには軸方向と直交する透孔１ｄが穿設されている。
小径部１ｂ外周には円盤状のスプ−ル支持部３と軸受１０と筒部材３′が嵌合されている。
【００１４】
スプ−ル２は、内側軸筒部２ａと、内側軸筒部２ａの外側で釣糸が巻回される外周の釣糸巻回胴部２ｂの内側に位置する凹部２ｃと、内側軸筒部２ａの前側の凹部からなる制動部材Ａの開口収容部２ｄと、開口収容部２ｄの周面に形成された複数条の軸方向の縦溝２ｅと、開口収容部２ｄより前側の凹部からなる開口部２ｆと、開口部２ｆの周面に形成されたネジ部２ｇと、外形の釣糸巻回胴部２ｂと、前側の鍔部２ｈと、後側の大径の筒部２ｉと、筒部２ｉの内側の凹部２ｊで形成されている。
凹部２ｃの底面にはネジ穴２ｋが形成されて発音体４がビス１１で固定され、凹部２ｃの周面は環状周壁２ｍに構成されている。
【００１５】
発音体４は発音効果の高いスプ−ル２の材料より硬質金属材で、凹部２ｃの底面に固定される固定部４ａと環状の発音部４ｂでカップ状に形成されている。
尚、発音体４の外周とスプ−ル２の内周との径方向には、空間部Ｓが形成されている。
空間部Ｓは、０．５ｍｍ以上の隙間に形成され、最大隙間は、スプ−ル形態、大きさ等により適宜設定される。
固定部４ａには大径の透孔４ｃと複数の透孔４ｄが形成されている。
発音部４ｂの内周面はクリック凹凸歯が形成されている。
固定部４ａは凹部２ｃの底面に添接されて複数の透孔４ｄに通されたビス１１で固定されている。
【００１６】
円盤状のスプ−ル支持部３は筒部３ａの後端に２段の鍔部３ｂ、３ｃが形成され、鍔部３ｃの前側に周溝３ｄが、内側に逃げ凹部３ｅが形成されている。
鍔部３ｂの前側の鍔部３ｃ外周に発音部材６の支持体７が嵌合されている。
鍔部３ｃの前側の筒部３ａ外周に摩擦板１２を挾んでスプ−ル２の内側軸筒部２ａが嵌合されている。
発音部材６は係合突出部６ａと、係合突出部６ａの両側の並行な摺動案内部分６ｂ、６ｂと、摺動案内部分６ｂ、６ｂの先の円弧部６ｃ、６ｃと、円弧部６ｃ、６ｃの先の係止部６ｄ、６ｄで形成されている。
係合突出部６ａは発音体４の環状の発音部４ｂの内周面に形成されたクリック凹凸歯に係合される。
支持体７は皿状で底面７ａに回り止め透孔７ｂが形成され、周面７ｃに摺動案内部分６ｂ、６ｂが挿入される横孔７ｄと、係止部６ｄ、６ｄが挿入される切欠き７ｄが形成されている。
【００１７】
凹部からなる制動部材Ａの開口収容部２ｄには制動部材Ａの摩擦板１３と制動板１４と摩擦板１３と制動板１５と摩擦板１３と制動板１４と摩擦板１３が収容され、凹部からなる開口部２ｆにはＯリングからなる弾性シ−ル部材１６とドラグ調整部材５用クリック機構Ｂの皿状のラチェットリング１７と皿状のクリック係合子ホルダ−を兼ねた押圧部材１８が収容される。
前側の鍔部２ｈの前側には段部２ｎが形成されて硬質のリング状の鍔部１９が段部２ｎに嵌められるように鍔部２ｈに重ねられてナット部材２０で取り付けられている。
【００１８】
円盤状のスプ−ル支持部３と軸受１０の前側の筒部材３′の筒部３ｆに軸方向と直交する透孔３ｇが穿設されている。
筒部３ｆの後端内側に逃げ凹部３ｈが形成されている。
透孔３ｇと透孔１ｄには係合ピン２１が挿脱自在に挿入される。
スプ−ル支持部３の筒部３ａの周溝３ｄにＯリングからなる弾性シ−ル部材２２が嵌合されている。
筒部材３′の筒部３ｆの外周には軸受２３が嵌合されている。
【００１９】
軸受１０と軸受２３の外周にはスプ−ル２の内側軸筒部２ａが嵌合され、スプ−ル２の内側軸筒部２ａより前側の筒部３ｆ外周には制動部材Ａの摩擦板１３と制動板１４と摩擦板１３と制動板１５と摩擦板１３と制動板１４と摩擦板１３とドラグ調整部材５用クリック機構Ｂの皿状のラチェットリング１７と皿状のクリック係合子ホルダ−を兼ねた押圧部材１８が嵌合されている。
制動板１４の外周の突起は縦溝２ｅでスプ−ル２に回り止めされている。
制動板１５の中心透孔と皿状のラチェットリング１７の中心透孔１７ａは筒部材３′の筒部３ｆ外周に回り止め嵌合されている。
係合ピン２１が挿脱自在に挿入されたスプ−ル軸１の透孔１ｄと筒部材３′の透孔３ｇは、軸受２３で閉塞されている。
皿状のラチェットリング１７は底面中心に中心透孔１７ａが、外周壁１７ｂの内周にクリック凹凸歯１７ｃが形成されている。
【００２０】
皿状のクリック係合子ホルダ−を兼ねた押圧部材１８は図１から図３のように、内側の底面１８ａと、底面１８ａの外側の押圧面１８ｂと、底面１８ａの中心透孔１８ｃと、外周壁１８ｄと、外周壁１８ｄに穿設された透孔１８ｅ、１８ｆと回り止め用切欠き１８ｇ、１８ｇとで形成されている。
クリック係合子ホルダ−を兼ねた押圧部材１８の中にはクリック係合子２４が取り付けられている。
クリック係合子２４は図４から図７の発音部材６と同形である。
【００２１】
クリック係合子ホルダ−を兼ねた押圧部材１８の外周壁１８ｄ内にクリック係合子２４が挿入されて透孔１８ｅの中に摺動案内部分（６ｂ、６ｂ）と係合突出部（６ａ）が挿入され、透孔１８ｆ内の両縁に係止部（６ｄ、６ｄ）が係止される。
係合突出部（６ａ）は皿状のラチェットリング１７の外周壁１７ｂの内周に形成されたクリック凹凸歯１７ｃに係合される。
クリック係合子ホルダ−を兼ねた押圧部材１８はドラグ調整部材５に取り付けられ、ドラグ調整部材５とクリック係合子ホルダ−を兼ねた押圧部材１８の間にワッシャ−２５を挾んで環状弾性シ−ル部材２６が挾み込まれている。
ドラグ調整部材５はドラグ調整部材５の内側に回り止め嵌合されたナット体２７のナット部２７ａがスプ−ル軸１の先端のネジ部１ｃに螺合されることでスプ−ル軸１に取り付けられている。
【００２２】
ナット部材２０は筒部２０ａと、鍔部２０ｂと、筒部２０ａ外周のネジ部２０ｃと、鍔部２０ｂの内側の凹部を兼ねた開口部２０ｄで形成されている。
ネジ部２０ｃはスプ−ル２のネジ部２ｇに螺合されると共に筒部２０ａの先端でＯリングを兼ねた弾性シ−ル部材１６が押圧される。
ドラグ調整部材５とクリック係合子ホルダ−を兼ねた押圧部材１８の間にワッシャ−２５を挾んで挾み込まれた環状弾性シ−ル部材２６は、ナット部材２０の開口部２０ｄの縁部内周面に摺接されている。
【００２３】
ドラグ調整部材５の表面にはツマミ操作部５ａが、裏面には筒部５ｂと数条の腕部５ｃが形成されて腕部５ｃの先端に鈎部５ｄが形成されている。
鈎部５ｄはクリック係合子ホルダ−を兼ねた押圧部材１８の透孔１８ｅ、１８ｆに係止されてドラグ調整部材５と環状弾性シ−ル部材２６とクリック係合子ホルダ−を兼ねた押圧部材１８が一体化されている。
筒部５ｂの内面には回り止め面５ｅが形成されてナット体２７に形成された回り止め面２７ｂが係合される。
ナット体２７と皿状のクリック係合子ホルダ−を兼ねた押圧部材１８の底面１８ａの間には発条２８が挿入されている。
【００２４】
スプ−ル軸１の先端にスプ−ル２と、制動部材Ａと、ドラグ調整部材５と一体化されたクリック機構Ｂとが組み込まれる時は、スプ−ル軸１の小径部１ｂ外周に円盤状のスプ−ル支持部３と軸受１０と筒部材３′が嵌合されて透孔３ｄと透孔１ｄに係合ピン２１が挿入されると共に筒部材３′の筒部３ｆの外周に軸受２３が嵌合される。
次に筒部材３′の筒部３ｆの外周に制動部材Ａと、ドラグ調整部材５と一体化されたクリック機構Ｂが嵌合されてスプ−ル軸１の先端のネジ部１ｃにドラグ調整部材５の内側のナット体２７のナット部２７ａが螺合される。
【００２５】
前記のようにスプ−ル２の凹部２ｃの底面に発音体４をビス１１で固定し、スプ−ル軸１の小径部１ｂ外周に円盤状のスプ−ル支持部３が嵌合されてスプ−ル支持部３の鍔部３ｂの前側の鍔部３ｃ外周に発音部材６の支持体７が回り止め嵌合され、発音部材６の係合突出部６ａが発音体４の環状の発音部４ｂの内周面に形成されたクリック凹凸歯に係合されていると、スプ−ル軸１の支持部３とスプ−ル２の相対回転を報知できる。
スプ−ル２の凹部２ｃに固定された発音体４の外周と凹部２ｃの周面の環状周壁２ｍの間には所定の空間部Ｓ（例えば０．５ｍｍ以上）が設けられて離間されていることにより、反響でクリック音を拡大することができる。
発音体４の材料をスプ−ル２の材料より硬質金属材とすると、スプ−ル２に発音体が一体に形成された場合に比較して大きい音量の発音効果が得られる。
【００２６】
前記のように魚釣用スピニングリ−ルが構成されると、スプ−ル２の凹部２ｃ内に発音体４を別体で一体的に固定するので、クリック発音体４をスプ−ル２と別の素材で形成出来、音響特性の良い素材又は耐摩耗性の高い素材といった、クリック発音体４として最適な素材を適宜選択できると共に、発音体４の環状発音部４ｂ外周とスプ−ル２の凹部２ｃの周面の環状周壁２ｍの間に間隙を設けたので、音が間隙の部分で増幅或は反響するので、クリック音の響きが良くなり、大きな音を発することが出来る。
【００２７】
本来デットスペ−スとなる釣糸巻回胴部２ｂ内に発音体を設ける際に、別体の発音体４、特に環状の発音部４ｂを釣糸巻回胴部２ｂ内に配置することで、スプ−ル成形時に金型をシンプルな形状とすることが出来、金型製作時のコスト削減が出来ると共に、発音体４の凹凸を精度よく成形できるのでクリック音が一定の連続音となり、不快な不連続音が解消される。
別体の発音体４をスプ−ル２より硬質な材料で形成することで、クリック音の発音を大きくするべく、発音部材の弾発力を高めても、発音体４の環状の発音部４ｂが変形して逃げることが無くなり、確実に大きなクリック音をはっすることが出来ると共に、環状発音部４ｂの耐久性が向上し、凹凸部分の摩耗を確実に押えることが可能となる。
【００２８】
図８は第２実施例で魚釣用リ−ルを魚釣用スピニングリ−ルで述べると、図８はスプ−ルとスプ−ル軸の拡大断面側面図である。
【００２９】
第２実施例では、スプ−ル２の凹部２ｃの底面に発音体４が添接されて大径の透孔４ｃの内周縁に係合されたカシメ突起２ｏでカシメ固定されている。
他の構成は前記第１実施例と略同一である。
【００３０】
図９は第３実施例で魚釣用リ−ルを魚釣用スピニングリ−ルで述べると、図９はスプ−ルとスプ−ル軸の拡大断面側面図である。
【００３１】
第３実施例では、樹脂製スプ−ル２の凹部２ｃの底面に発音体４が添接されて複数の透孔４ｄに通されたカシメピン２ｐの溶着で固定されている。
他の構成は前記第１実施例と略同一である。
【００３２】
図１０は第４実施例で魚釣用リ−ルを魚釣用スピニングリ−ルで述べると、図１０はスプ−ルとスプ−ル軸の拡大断面側面図である。
【００３３】
第４実施例では、スプ−ル２の後側の大径の筒部２ｉの内側の凹部２ｊから釣糸巻回胴部２ｂの肉厚部分にピン穴２ｑが穿設されている。
ピン穴２ｑに圧入されたピン２９又は螺着されたネジで発音体４′がスプ−ル２に固定されている。
発音体４′は環状の発音部４ｂの外側に鍔状の固定部４ｅが形成され、鍔状の固定部４ｅに複数の透孔４ｆが形成されている。
他の構成は前記第１実施例と略同一である。
【００３４】
前記説明では魚釣用リ−ルを魚釣用スピニングリ−ルで述べたが、魚釣用スピニングリ−ルのみに実施が限定されるものではなく、例えば魚釣用両軸受型リ−ルのスプ−ルに用いてもよく、その際においても、先の実施例と同等の効果を得ることが可能であることは言うまでもない。
又、図示しないが、従来より公知である、発音部材の位置を変位させて作動・非作動を切換えるＯＮ／ＯＦＦ機構を用いても良い。
【００３５】
【発明の効果】
本発明は、以上説明したような形態で実施され、以下に記載されるような効果を奏する。
【００３６】
請求項１により、スプ−ルの凹部内に発音体を別体で一体的に固定するので、クリック発音体をスプ−ルと別の素材で形成出来、音響特性の良い素材又は耐摩耗性の高い素材といった、クリック発音体として最適な素材を適宜選択できると共に、発音体の環状発音部外周とスプ−ルの凹部の周面の環状周壁の間に間隙を設けたので、音が間隙の部分で増幅或は反響するので、クリック音の響きが良くなり、大きな音を発することが出来る。
【００３７】
請求項２により、本来デットスペ−スとなる釣糸巻回胴部内に発音体を設ける際に、別体の発音体、特に環状の発音部を釣糸巻回胴部内に配置することで、スプ−ル成形時に金型をシンプルな形状とすることが出来、金型製作時のコスト削減が出来ると共に、発音体４の凹凸を精度よく成形できるのでクリック音が一定の連続音となり、不快な不連続音が解消される。
請求項３により、スプ−ルの凹部が有効活用できると共に、音響効果が得られる。
請求項４により、別体の発音体をスプ−ルより硬質な材料で形成することで、クリック音の発音を大きくするべく、発音部材の弾発力を高めても、発音体の環状の発音部が変形して逃げることが無くなり、確実に大きなクリック音を発することが出来ると共に、環状発音部の耐久性が向上し、凹凸部分の摩耗を確実に押えることが可能となる。
【図面の簡単な説明】
【図１】第１実施例で、スプ−ルの断面側面図である。
【図２】同スプ−ルの分解断面側面図である。
【図３】同スプ−ルの要部拡大分解断面側面図である。
【図４】同発音体を断面にして支持体に保持された発音部材を組み合わせた斜視図である。
【図５】同発音体と支持体に保持された発音部材の分解斜視図である。
【図６】同発音部材と支持体の分解斜視図である。
【図７】同発音部材と支持体の断面平面図である。
【図８】第２実施例で、スプ−ルとスプ−ル軸の拡大断面側面図である。
【図９】第３実施例で、スプ−ルとスプ−ル軸の拡大断面側面図である。
【図１０】第４実施例で、スプ−ルとスプ−ル軸の拡大断面側面図である。
【符号の説明】
１　スプ−ル軸
２　スプ−ル
２ｂ　釣糸巻回胴部
２ｃ　凹部
２ｍ　環状周壁
４　発音体
４ｂ　環状発音部
【図１】
2004105097.tif 000003
【図２】
2004105097.tif 000004
【図３】
2004105097.tif 000005
【図４】
2004105097.tif 000006
【図５】
2004105097.tif 000007
【図６】
2004105097.tif 000008
【図７】
2004105097.tif 000009
【図８】
2004105097.tif 000010
【図９】
2004105097.tif 000011
【図１０】
2004105097.tif 000012